(57)【要約】      （修正有）【課題】衛生的で、構造を単純化することができ、製造費の節減が可能で、使用者の利便性が向上する化粧品容器を提供する。【解決手段】化粧品容器１は、内容物が収容される容器本体１０と、容器本体１０に設けられ、内容物を吐出するポンピング部２０と、ポンピング部２０に着脱できるように設けられ、一方向または他方向にポンピング部２０に結合されるアプリケーター３０と、を含み、アプリケーター３０は、一方向にポンピング部２０に結合されると、ポンピング部２０のポンピングを許容してポンピング部２０によって吐出される内容物の伝達を受け、他方向にポンピング部２０に結合されると、ポンピング部２０のポンピングを制限することができる。【選択図】図１
0003234306.tif 000002
【実用新案登録請求の範囲】
【請求項１】
内容物が収容される容器本体と、
前記容器本体に設けられ、前記内容物を吐出するポンピング部と、
前記ポンピング部に着脱できるように設けられ、一方向または他方向に前記ポンピング部に結合されるアプリケーターと、を含み、
前記アプリケーターは、
一方向に前記ポンピング部に結合されると、前記ポンピング部のポンピングを許容して前記ポンピング部によって吐出される内容物の伝達を受け、他方向に前記ポンピング部に結合されると、前記ポンピング部のポンピングを制限することを特徴とする化粧品容器。
【請求項２】
前記一方向は、
前記アプリケーターに設けられる塗布手段が外部に露出される方向であることを特徴とする請求項１に記載の化粧品容器。
【請求項３】
前記他方向は、
塗布手段が内部に隠される方向であることを特徴とする請求項１に記載の化粧品容器。
【請求項４】
前記容器本体は、
前記ポンピング部のポンピングを制限するように前記アプリケーターの進入を遮断する肩部材を含むことを特徴とする請求項１に記載の化粧品容器。
【請求項５】
前記アプリケーターは、
一方向に前記ポンピング部に結合されると、前記ポンピング部に向かって突出して前記ポンピング部をポンピングする突出部材と、
他方向に前記ポンピング部に結合されると、前記肩部材に干渉されて移動が制限されるように段差が形成される拡大部材と、を含むことを特徴とする請求項４に記載の化粧品容器。
【請求項６】
前記肩部材は、
前記拡大部材が装着される装着孔と、前記装着孔の上部周面に沿って段差をなす周り段差が形成されることを特徴とする請求項５に記載の化粧品容器。
【請求項７】
前記ポンピング部は、
内容物が吸い上げられる吸引管と、
前記吸引管が連結されるシリンダーと、
前記シリンダー内で昇降するピストンと、
前記シリンダーから内容物が通り前記アプリケーターを貫通する吐出口と、を含むことを特徴とする請求項１に記載の化粧品容器。
【請求項８】
前記ポンピング部は、
前記吐出口が連結され、前記アプリケーターが一方向に前記ポンピング部に結合されると、前記アプリケーターの進入により加圧されるか、前記アプリケーターが他方向に前記ポンピング部に結合されると、加圧が制限される作動ボタンを含むことを特徴とする請求項７に記載の化粧品容器。
【請求項９】
前記作動ボタンは、
前記ピストンに連結される昇降部材と、
前記昇降部材の昇降をガイドし、前記容器本体に連結される下部部材と、を含むことを特徴とする請求項８に記載の化粧品容器。
【請求項１０】
前記肩部材の高さは、
前記アプリケーターに設けられる塗布手段の高さより高く形成されることを特徴とする請求項４に記載の化粧品容器。
【請求項１１】
前記肩部材は、
内外部に空気が流動できるように周りに空気孔が形成されることを特徴とする請求項４に記載の化粧品容器。
【考案の詳細な説明】
【技術分野】
【０００１】
本発明は化粧品容器に関し、具体的には、内容物を容易に伝達できるアプリケーターが蓋としても利用されることができ、構成が簡素化できる化粧品容器に関する。
【背景技術】
【０００２】
人々は皮膚を保護したり、外見を飾るための手段の１つとして顔に日焼け止め、プライマー、ファンデーション、及び／またはカラーメイクなどをするが、時間が経つにつれて皮膚で発生する有機物と化粧品がむしろトラブルを引き起こすなどして皮膚を傷める恐れがあり、事後管理のため、またはきれいな肌を保持するためにクレンジングが不可欠である。
【０００３】
特に、基礎化粧品以外の日焼け止め、カラーメイクなどは人の活動時間の間は皮膚に長期間密着するように製造されるため、基礎化粧品だけを塗った人に比べてより高い洗浄力が求められ、ブラシのような各種のアプリケーター及び／または様々な形態のクレンジング製品を使用するようになる。
【０００４】
即ち、顔に塗られた化粧品を落とすときには、顔の皮膚に沈着した化粧品を落とすのに優れた効能を持つクレンジング製品を使用するとともに、顔の屈曲した部分、例えば、鼻の周りなどの領域をより入念にクレンジングできるようにディープクレンジングが求められ、様々な形態のアプリケーターを使するようになる。
【０００５】
しかし、アプリケーターは、衛生的な管理のために洗浄をしても定期的な交換が求められ、特に、クレンジング化粧品が収容された容器とは別途に用意されるため、保管が不便であるか、容易に紛失する恐れがある。
【考案の概要】
【考案が解決しようとする課題】
【０００６】
本発明は従来技術を改善するために創出されたものであり、本発明の目的は、内容物の塗布が容易になるようアプリケーターが設けられ、容器本体の全体をカバーする蓋を別途設ける必要がないため、構造が単純でありながら使用しやすい化粧品容器を提供することである。
【課題を解決するための手段】
【０００７】
本発明の一実施例による化粧品容器は、内容物が収容される容器本体と、上記容器本体に設けられ、上記内容物を吐出するポンピング部と、上記ポンピング部に着脱できるように設けられ、一方向または他方向に上記ポンピング部に結合されるアプリケーターと、を含み、上記アプリケーターは、一方向に上記ポンピング部に結合されると、上記ポンピング部のポンピングを許容して上記ポンピング部によって吐出される内容物の伝達を受け、他方向に上記ポンピング部に結合されると、上記ポンピング部のポンピングを制限することができる。
【０００８】
具体的に、上記一方向は、上記アプリケーターに設けられる塗布手段が外部に露出される方向であってもよい。
【０００９】
具体的に、上記他方向は、上記塗布手段が内部に隠される方向であってもよい。
【００１０】
具体的に、上記容器本体は、上記ポンピング部のポンピングを制限するように上記アプリケーターの進入を遮断する肩部材を含んでもよい。
【００１１】
具体的に、上記アプリケーターは、一方向に上記ポンピング部に結合されると、上記ポンピング部に向かって突出して上記ポンピング部をポンピングする突出部材と、他方向に上記ポンピング部に結合されると、上記肩部材に干渉されて移動が制限されるように段差が形成される拡大部材と、を含んでもよい。
【００１２】
具体的に、上記肩部材は、上記拡大部材が装着される装着孔と、上記装着孔の上部周面に沿って段差をなす周り段差が形成されてもよい。
【００１３】
具体的に、上記ポンピング部は、内容物が吸い上げられる吸引管と、上記吸引管が連結されるシリンダーと、上記シリンダー内で昇降するピストンと、上記シリンダーから内容物が通り上記アプリケーターを貫通する吐出口と、を含んでもよい。
【００１４】
具体的に、上記ポンピング部は、上記吐出口が連結され、上記アプリケーターが一方向に上記ポンピング部に結合されると、上記アプリケーターの進入により加圧されるか、上記アプリケーターが他方向に上記ポンピング部に結合されると、加圧が制限される作動ボタンを含んでもよい。
【００１５】
具体的に、上記作動ボタンは、上記ピストンに連結される昇降部材と、上記昇降部材の昇降をガイドし、上記容器本体に連結される下部部材と、を含んでもよい。
【００１６】
具体的に、上記肩部材の高さは、上記アプリケーターに設けられる塗布手段の高さより高く形成されてもよい。
【００１７】
具体的に、上記肩部材は、内外部に空気が流動できるように周りに空気孔が形成されてもよい。
【考案の効果】
【００１８】
本発明による化粧品容器は、容器本体に着脱できるように設けられるアプリケーターを含み、内容物の塗布が容易でありながらアプリケーターの交換が可能であるため、衛生的であり、容器本体またはアプリケーターの全体をカバーする蓋を別途設ける必要なく、アプリケーターの方向の切り替えにより蓋の機能を果たすことができるため、構造を単純化することができ、製造費の節減が可能で、且つ使用者の利便性が向上することができる。
【図面の簡単な説明】
【００１９】
【図１】本発明の一実施例による化粧品容器においてアプリケーターが一方向にポンピング部に結合された状態の内部構造を示したものである。
【図２】本発明の一実施例による化粧品容器においてアプリケーターが他方向にポンピング部に結合された状態の内部構造を示したものである。
【図３ａ】図２の状態を示す斜視図である。
【図３ｂ】図３ａの状態からアプリケーターが分離された状態を示す斜視図である。
【図３ｃ】図３ｂの状態からアプリケーターが一方向にポンピング部に結合された図１の状態を示す斜視図である。
【図４】本発明の一実施例による化粧品容器のアプリケーターを示したものである。
【考案を実施するための形態】
【００２０】
本発明の目的、特定の利点及び新規な特徴は添付の図面と関連する以下の詳細な説明と好ましい実施例から更に明らかになるだろう。本明細書では、各図面の構成要素に参照番号を付するにおいて、同じ構成要素に限ってはたとえ他の図面上に表示されても、可能な限り同じ番号を付したことに留意すべきである。また、本発明を説明するに当たり、関連する公知技術に対する具体的な説明が本発明の要旨を不要に不明確にすると判断される場合、その詳細な説明は省略する。
【００２１】
以下、添付の図面を参照して本発明の好ましい実施例を詳細に説明する。
【００２２】
図１は本発明の一実施例による化粧品容器においてアプリケーターが一方向にポンピング部に結合された状態の内部構造を示したものであり、図２は本発明の一実施例による化粧品容器においてアプリケーターが他方向にポンピング部に結合された状態の内部構造を示したものである。
【００２３】
そして、図３ａ〜図３ｃはアプリケーターの着脱過程を示す斜視図であり、図４は本発明の一実施例による化粧品容器のアプリケーターを示したものである。
【００２４】
図１〜図４を参照すると、本発明の一実施例による化粧品容器１は、容器本体１０、ポンピング部２０、アプリケーター３０を含んでもよく、特に、洗浄効果を上げるアプリケーター３０が蓋の機能を果たすことができるため、全体の構成が簡素化でき、製造が容易なだけでなく、製造費を節減することができる。
【００２５】
また、本実施例では、内容物１００がクレンジング化粧品であることを説明するが、内容物１００はアプリケーター３０によって皮膚に伝達され得る様々な化粧品、例えば、基礎化粧品（エマルジョン、エッセンスなど）、プライマー、日焼け止め、ファンデーションなどであってもよく、内容物１００は限定されず、本実施例では、説明及び理解しやすくするためにクレンジング化粧品であることを例に挙げて説明する。
【００２６】
そして、本実施例において、一方向はアプリケーター３０に設けられる塗布手段３２Ｂが外部に露出される方向であってもよく、他方向は塗布手段３２Ｂが内部に隠れる方向であってもよい。
【００２７】
まず、容器本体１０は内容物１００が収容されるように収容空間（符号不図示）が形成されればよく、容器本体１０の形状／材質／色などは特に限定されない。但し、容器本体１０は、上部にアプリケーター３０が装着されて内容物１００が排出されるように上部に口部１１が形成されてもよく、肩部材１２（図２参照）を含んでもよい。
【００２８】
口部１１は出口をなす構成で、容器本体１０の上部に突出して形成され、収容空間に比べて直径が小さく形成されてもよく、公知の様々な形態の口部１１が適用されることができる。
【００２９】
肩部材１２はアプリケーター３０に干渉してアプリケーター３０の移動を遮断したり、アプリケーター３０の移動を許容するためにアプリケーター３０と離隔されるように口部１１の周りに設けられてもよい。
【００３０】
即ち、容器本体１０が別途の蓋によってカバーされる必要がないように、肩部材１２がアプリケーター３０に干渉してポンピング部２０の作動を遮断することができ、また、アプリケーター３０の移動によってポンピング部２０が作動して内容物１００が吐出されるように肩部材１２とアプリケーター３０との間に空間が形成されてもよい。
【００３１】
例えば、肩部材１２には、後述するアプリケーター３０が装着される装着孔１２Ａと、周り段差１２Ｂが形成されてもよい。
【００３２】
ここで、装着孔１２Ａは、アプリケーター３０が結合される方向にアプリケーター３０が挿入されるように空間をなす構成であって、ホールの構造であってもよいが、これに限定されるものではない。
【００３３】
周り段差１２Ｂは拡大部材３２の段差３２Ａに対応するように形成され、拡大部材３２を干渉することで、アプリケーター３０の移動を制限することができるが、周り段差１２Ｂは肩部材１２の上端周りに沿って形成される段差構造からなってもよい。
【００３４】
このとき、図１及び図３ｃを参照すると、アプリケーター３０が一方向にポンピング部２０に結合されるときには周り段差１２Ｂと拡大部材３２が離隔されて周り段差１２Ｂがアプリケーター３０を干渉せず、図２及び図３ａを参照すると、アプリケーター３０が他方向にポンピング部２０に結合されるときには周り段差１２Ｂがアプリケーター３０を干渉してアプリケーター３０の進入を遮断することで、ポンピング部２０の作動が遮断されることができる。
【００３５】
このような肩部材１２は、容器本体１０の収容空間が形成される領域から上部に一直線に延長されて、容器本体１０の全体の形状がなめらかに形成される構造にすることができる。
【００３６】
さらに、肩部材１２の高さは、アプリケーター３０に設けられる塗布手段３２Ｂの高さと少なくとも同じで、塗布手段３２Ｂの高さより高く形成されることで、保管状態のアプリケーター３０の塗布手段３２Ｂが作動ボタン２４の昇降部材２４Ａによって押されないようにすることができる。
【００３７】
即ち、保管状態のアプリケーター３０は、昇降部材２４Ａとの間に空間が形成されるように設けられることで、塗布手段３２Ｂが押されることを防止しながらも塗布手段３２Ｂから流れ落ちる可能性のある水が再び塗布手段３２Ｂに付くことを防止することができる。
【００３８】
また、肩部材１２の周りには空気孔が形成されて通風できるため、濡れている塗布手段３２Ｂが容器本体１０にすぐ保管されても空気孔を介して塗布手段３２Ｂが乾くことができる。
【００３９】
ポンピング部２０は容器本体１０の内容物１００を吐出させる構成で、容器本体１０に結合されるが、口部１１を貫通して肩部材１２の内側に設けられてもよく、容器本体１０とポンピング部２０の結合は公知の様々な方法により行われてもよい。
【００４０】
例えば、ポンピング部２０は吸引管２１、シリンダー２２、吐出口２３、作動ボタン２４を含んでもよく、簡単にはアプリケーター３０が吐出口２３に連結され、吐出口２３が作動ボタン２４に連結され、作動ボタン２４がピストン（不図示）に連結され、ピストンはシリンダー２２内で昇降し、シリンダー２２の下側には吸引管２１が設けられてもよい。また、ピストンの周辺にはピストンリングが設けられ、ピストンリングはシリンダー２２の内壁に密着した構造であってもよい。
【００４１】
このようなポンピング部２０の概略的な作動は以下の通りである。
【００４２】
まず、ピストンが下降すると、ピストンの外面の孔がピストンリングから下側にずれてピストンの内部がシリンダー２２の内部と連通することができる。それから、ピストンがさらに下降すると、ピストンの段差などによってピストンリングが下降しながらシリンダー２２の内圧が上昇し、シリンダー２２の内部の内容物１００がピストンを経て吐出口２３に吐出されることができる。
【００４３】
次いで、弾性部材（不図示）によってピストンが上昇すると、ピストンの外面の孔がピストンリングによって隠されることができる。その後、ピストンがさらに上昇すると、ピストンの下端の引っ掛かり構造によってピストンリングが上昇してシリンダー２２の内圧が下がり、吸引管２１を介してシリンダー２２の内部に内容物１００が補充されることができる。
【００４４】
このようなポンピング部２０の作動及び構造は上記内容に限定されず、公知のポンプの構造と作動方式が適用されてもよい。
【００４５】
但し、本実施例のポンピング部２０は、肩部材１２から離隔された状態のアプリケーター３０によってポンピング作動が行われるために作動ボタン２４を押す動作が行われてもよい。
【００４６】
作動ボタン２４は、アプリケーター３０が一方向にポンピング部２０に結合されるとき、アプリケーター３０の進入によって加圧されるか、アプリケーター３０が他方向にポンピング部２０に結合されるとき、加圧が制限されることができ、例えば、作動ボタン２４は昇降部材２４Ａと下部部材２４Ｂを含んでもよい。
【００４７】
昇降部材２４Ａには上述した吐出口２３が設けられてもよく、下部部材２４Ｂの上部から下部部材２４Ｂを基準として昇降することができ、このとき、昇降部材２４Ａの下降は使用者がアプリケーター３０を押すと、押されたアプリケーター３０によって昇降部材２４Ａが加圧されることによって行われ、昇降部材２４Ａの昇降は上述したピストンに昇降部材２４Ａが連結されることによってピストンの上昇に連動して行われることができる。
【００４８】
また、下部部材２４Ｂは、シリンダー２２の上部において口部１１とネジ結合により連結されて容器本体１０に固定されてもよく、容器本体１０において位置が固定された下部部材２４Ｂは昇降部材２４Ａをガイドすることができ、このために、下部部材２４Ｂ上に昇降部材２４Ａが上下移動できるように設けられてもよい。
【００４９】
アプリケーター３０はポンピング部２０に着脱できるように設けられ、一方向または他方向にポンピング部２０に結合されてもよく、突出部材３１と拡大部材３２を含んでもよい。
【００５０】
特に、アプリケーター３０は、一方向にポンピング部２０に結合されると、ポンピング部２０のポンピングを許容してポンピング部２０によって吐出される内容物１００の伝達を受け、他方向にポンピング部２０に結合されると、ポンピング部２０のポンピングを制限することができ、ポンピング部２０のポンピングを制限する結合状態では塗布手段３２Ｂが下部方向に向かって保管されるため、塗布手段３２Ｂに残っている水が下部方向に流れて容易に抜けることができ、乾燥が容易に行われることができる。
【００５１】
そして、塗布手段３２Ｂは内容物１００を皮膚に伝達する構成で、シリコン／ゴムなどの材質からなる複数の突起からなるか、複数の毛で形成されるブラシからなるか、またはシリコン／ゴム／金属材質からなって凸状または模様のない塗布面の構造を有することができるなど、皮膚に接触する公知の様々な形態が適用されることができる。
【００５２】
アプリケーター３０の突出部材３１は、一方向にアプリケーター３０がポンピング部２０に結合されると、ポンピング部２０に向かって突出してポンピング部２０をポンピングすることができる。
【００５３】
例えば、一方向にアプリケーター３０がポンピング部２０に結合されるとき、突出部材３１の下部は作動ボタン２４に当接し、突出部材３１の上部に配置された拡大部材３２が周り段差１２Ｂから離隔される長さを有することができる。
【００５４】
このとき、周り段差１２Ｂから離隔される拡大部材３２の距離は、突出部材３１が作動ボタン２４を押して最下部まで進入された状態でも周り段差１２Ｂから拡大部材３２が離隔される十分な距離を有することが望ましい。
【００５５】
これにより、アプリケーター３０は、拡大部材３２が周り段差１２Ｂから干渉を受けないため、繰り返して作動ボタン２４を押してポンピング部２０のポンピング作動を行うことができる。
【００５６】
また、突出部材３１は、容器本体１０に結合されるように昇降部材２４Ａの吐出口２３が貫通する構造からなり、吐出口２３に突出部材３１が挿入されて固定されてもよい。
【００５７】
ここで、突出部材３１の内径と吐出口２３の外径が対応する形状で、突出部材３１と吐出口２３は一字状の管構造を成すことができ、吐出口２３から突出部材３１は分離はできるが、使用者が一定の力を与えて引き出せるように、突出部材３１と吐出口２３の間には溝と突起／リングの構造が設けられてもよく、様々な変形例が可能である。
【００５８】
拡大部材３２はポンピング部２０の作動を遮断したいとき、アプリケーター３０の進入を制限する構成であり、他方向にアプリケーター３０がポンピング部２０に結合されると、肩部材１２に干渉されて移動が制限されるように段差３２Ａが形成されてもよい。
【００５９】
ここで、段差３２Ａは、周り段差１２Ｂとかみ合う構造で、拡大部材３２の周りに沿って形成される段差であってもよい。そして、段差３２Ａと周り段差１２Ｂがかみ合ってアプリケーター３０の移動を制限すればよいため、段差３２Ａと周り段差１２Ｂが互いにかみ合う構造であれば、リング状からなる段差の構造の他にも様々な変形例が可能である。
【００６０】
本発明の実施例による化粧品容器１の使用実施例は、例えば、クレンジングフォームが使用できるように、まず、図３ｂのような状態になるようにアプリケーター３０を容器本体１０から分離した後、水を付けることができる。
【００６１】
次に、図３ｃのような状態になるように、アプリケーター３０をポンピング部２０に差し込む。それから、アプリケーター３０を加圧して作動ボタン２４を押すことで内容物をポンピングし、ポンピングにより排出された内容物が伝達されたアプリケーター３０を容器本体１０から分離して洗顔作業に利用することができる。
【００６２】
一方、化粧品容器１の使用実施例の他の例として、クレンジングフォームが使用できるように、まず、図３ｃのような状態になるようにアプリケーター３０をポンピング部２０に差し込み、上述したような動作と同じ／類似するようにアプリケーター３０を加圧して作動ボタン２４を押すことで内容物をポンピングさせる。それから、化粧品容器１そのものを持ち上げて皮膚に接触させてそのまま洗顔作業に利用することができる。
【００６３】
また、化粧品容器１を利用した洗顔が完了すると、アプリケーター３０が化粧品容器１に保管された状態になるように、下記のようにすることができる。
【００６４】
まず、図３ｃのような状態で洗顔作業をした後、アプリケーター３０を逆転させるために、図３ｂのような状態になるようアプリケーター３０を容器本体１０から分離する。
【００６５】
それから、図３ａのような状態になるように、塗布手段３２Ｂを下部に配置させた状態で容器本体１０に差し込む。このとき、塗布手段３２Ｂは昇降部材２４Ａとの間に空間が形成されるように設けられて、上述したように塗布手段３２Ｂが押されることを防止しながらも保管が容易になるようにする。
【００６６】
一方、本実施例では、アプリケーター３０の全体をカバーする蓋が省略され、アプリケーター３０の方向の切り替えだけでも容器本体１０から内容物１００が排出されることを遮断することができるが、使用者の満足度の向上及び漏液防止などのために別途のキャップ４０が追加されてもよい。
【００６７】
勿論、ポンピング部２０のポンピングが遮断されると、内容物１００がポンピングされないため、内容物１００の任意の排出は遮断されることができるが、空気の流入などを防止するためにキャップ４０が追加されることができる。
【００６８】
例えば、キャップ４０は、他方向にアプリケーター３０がポンピング部２０に結合されるとき、アプリケーター３０の上部に嵌め合いされる構造であってもよく、アプリケーターの全体をカバーする必要がなく、アプリケーター３０に形成された内容物１００の排出路を遮断する構造であれば、形状／材質などは制限されない。
【００６９】
但し、密閉力をさらに上げられるようにポンピング部２０の吐出口２３に嵌め合いできるように突出する構造であってもよく、キャップ４０のサイズがアプリケーター３０に比べて小さくて紛失の恐れがあるため、キャップ４０は連結部材（不図示）が設けられてアプリケーター３０／肩部材１２などに一体に連結されてもよい。
【００７０】
これとは異なり、キャップ４０は磁力でアプリケーター３０／肩部材１２／容器本体１０に付着された状態で保管されてもよい。即ち、容器本体１０またはアプリケーター３０の全体をカバーするサイズでキャップ４０が設けられる必要がないため、小さいサイズのキャップ４０はアプリケーター３０の使用中に容器本体１０の側面や底面の溝などに磁力で付着されて保管されてもよいなど、様々な変形例が可能である。
【００７１】
このように、本実施例は、容器本体１０に着脱できるように設けられるアプリケーター３０を含み、内容物１００の塗布が容易でありながらもアプリケーター３０の交換が可能であり、衛生的であることができ、容器本体１０またはアプリケーター３０の全体をカバーする蓋を別途で設ける必要がなく、アプリケーター３０の方向の切り替えだけで蓋の機能を果たすことができ、構造が単純化できるため、製造費の節減が可能で、且つ使用者の利便性が向上することができる。
【００７２】
以上、本発明を具体的な実施例を通じて詳細に説明したが、これは本発明を具体的に説明するためのものであり、本発明はこれに限定されず、本発明の技術的思想内で当該分野の通常の知識を有する者によってその変形や改良が可能であることは明らかである。
【００７３】
本発明の単純な変形ないし変更は全て本発明の範囲に属し、本発明の具体的な保護範囲は添付の特許請求の範囲によって明確になるだろう。
【符号の説明】
【００７４】
１  化粧品容器
１０  容器本体
１１  口部
１２  肩部材
１２Ａ  装着孔
１２Ｂ  周り段差
２０  ポンピング部
２１  吸引管
２２  シリンダー
２３  吐出口
２４  作動ボタン
２４Ａ  昇降部材
２４Ｂ  下部部材
３０  アプリケーター
３１  突出部材
３２  拡大部材
３２Ａ  段差
３２Ｂ  塗布手段
４０  キャップ
【図１】
0003234306.tif 000003
【図２】
0003234306.tif 000004
【図３ａ】
0003234306.tif 000005
【図３ｂ】
0003234306.tif 000006
【図３ｃ】
0003234306.tif 000007
【図４】
0003234306.tif 000008